(57)【要約】大きさの異なるパウチであってもパウチ下部を支持固定でき、パウチの挿通が自在にできるとともに、パウチに糞尿が溜まったときにもパウチの排出口からから糞尿の排出が容易に行え、更に、パウチから発生する糞尿臭を効果的に消臭することができるパウチカバーを提供する。  本発明のストーマ用パウチカバーは、消臭物質を含有する布帛によりパウチを被覆する形状に形成され、  ストーマとパウチの接続部に相当する部分に、ストーマに概略該当する大きさの接続用開口部を有すると共に、カバーの下端部に末端開口部を設け、該末端開口部周辺に係合部材を設けてなり、該末端開口部からパウチを挿通自在とした構造をもっている。
2010128686.tif 000002
【特許請求の範囲】
【請求項１】
身体表面部のストーマに装着するパウチのためのカバーであって、
該カバーは、消臭物質を含有する布帛によりパウチを被覆する形状に形成され、
ストーマとパウチの接続部に相当する部分に、ストーマに概略該当する大きさの接続用開口部を有すると共に、
カバーの下端部に末端開口部を設け、該末端開口部周辺に係合部材を設けてなり、該末端開口部からパウチを挿通自在としたことを特徴とするパウチカバー。
【請求項２】
消臭物質を含有する布帛が、繊維の表面および内部に無機多孔結晶が担持されてなる消臭性繊維からなり、さらに該消臭性繊維が、
（ａ）二酸化ケイ素と酸化亜鉛との複合体
（ｂ）結晶性シリカおよび／またはシリカアルミナとフィロケイ酸塩および／またはアルミニウムフィロケイ酸塩との複合体
（ｃ）ポリヒドラジド化合物
（ｄ）ポリカルボン酸および／またはポリカルボン酸塩
（ｅ）ポリフェノール
からなる群から選択された少なくとも１つの消臭物質を、その表面および／または内部に有していることを特徴とする、請求項１記載のパウチカバー。
【請求項３】
繊維がポリエステル系繊維及び／またはセルロース系繊維である請求項１または２記載のパウチカバー。
【請求項４】
カバーを構成する布帛の端がカバー内側方向に縁取りされている請求項１または３のいずれかに記載のパウチカバー。
【発明の詳細な説明】
【技術分野】
【０００１】
本発明は、ストーマに装着され、人工肛門や人工膀胱から排泄される糞尿を収納するパウチのカバーに関し、更に詳しくは、パウチの取り付け取り外しが簡単で、異なる大きさのパウチも固定できるカバーであり、しかもストーマ及びパウチから発散する糞尿臭を効果的に消臭することができ、なおかつ、繰り返し洗濯を行っても消臭効果を維持することができるパウチ用カバーに関するものである。
【背景技術】
【０００２】
ストーマとは、肛門や膀胱が、腸閉塞や癌などの治療の原因などで排出口としての役割を果たさなくなったとき、手術によって、糞尿を体外へ排出するための腹壁に造設された排出孔のことをいい、消化管ストーマと尿路ストーマが知られている。ストーマ装着者は、ストーマを介して外部にパウチを装着し、パウチに溜まった糞尿をトイレなどで排出することにより、日常生活を行っている。
このパウチは常時着用しておくものであるため、パウチから発散する糞尿臭が問題となっていた。【０００３】
これらの問題を改善するものとして、ＪＵ６２−９９２１９Ａには、脱臭剤を含浸させた紙、不織布、ビニールを円筒状に形成して、ストーマ用装具を覆うように形成したものが開示されている。
また、ＪＰ１０−３３５７９Ａには、人体の腰に巻回して固定する引き止め部と、この引き止め部に設けられた懸吊部とを備え、懸吊部にはパウチ連結部を挿通可能とする挿通口を設け、挿通口近傍にパウチを収納する袋状部を設け、挿通口と袋状部とを遮蔽する天蓋部が設けられたものが開示されている。
【発明の概要】
【０００４】
［発明の目的］
しかし、ＪＵ６２−９９２１９Ａに記載のストーマ用装具カバーは、パウチの上部の一部が露出し、また、下端部が開放されている構造であるので、該カバーの消臭性能は十分とはいえない。また、該カバーの上部をパウチの上部に接着剤で貼着することにより取り付ける構造になっているので、接着剤の耐久性に問題があり、該カバーを繰り返し用いることが困難になる虞がある。
【０００５】
また、ＪＰ１０−３３５７９Ａに記載のストーマ用装置のカバーは、袋状部がパウチを安定して保持すると思われる。しかし、パウチに排泄物が溜まり、その排泄物をパウチから捨てる際には、パウチの下端を持ち上げるようにして袋状部からパウチを取り出すことになる。そうなると、パウチを中央付近で折り曲げることになるので、その変形により排泄物が流動して、勢いで排出口から排泄物が漏れる可能性がある。また、排泄物が溜まったパウチは重量があるとともにガスが溜まって膨らんでいるので、袋状部から取り出し難い。従って、パウチから排泄物を捨てにくいので、装着者は外出を控えたり、仕事に従事できなくなったりして活動範囲が狭くなってしまう。
【０００６】
本発明の目的は上記した従来技術の問題点を解決することにある。より具体的には、大きさの異なるパウチであっても、パウチの大きさに合わせてパウチカバーの下端を折り曲げて長さを調節し、パウチの露出部分を少なく封入できる構造であるため、パウチの挿通が自在にできるとともに、パウチに糞尿が溜まったときにもパウチ下部の排出口から糞尿の排出が容易に行え、更に、パウチから発生する糞尿臭を効果的に消臭することができるパウチカバーを提供することにある。
【０００７】
［発明の要約］
本発明は、第１に、身体表面部のストーマに装着するパウチのためのカバーであって、
該カバーは、消臭物質を含有する布帛によりパウチを被覆する形状に形成され、
ストーマとパウチの接続部に相当する部分に、ストーマに概略該当する大きさの接続用開口部を有すると共に、
カバーの下端部に末端開口部を設け、該末端開口部周辺に係合部材を設けてなり、該末端開口部からパウチを挿通自在としたことを特徴とするパウチカバーである。
本発明は、第２に、消臭物質を含有する布帛が、繊維の表面および内部に無機多孔結晶が担持されてなる消臭性繊維からなり、該消臭性繊維が、
（ａ）二酸化ケイ素と酸化亜鉛との複合体
（ｂ）結晶性シリカおよび／またはシリカアルミナとフィロケイ酸塩および／またはアルミニウムフィロケイ酸塩との複合体
（ｃ）ポリヒドラジド化合物
（ｄ）ポリカルボン酸および／またはポリカルボン酸塩、および
（ｅ）ポリフェノール
からなる群から選択された少なくとも１つの消臭物質を、その表面および／または内部に有していることを特徴とする、上記のパウチカバーである。
本発明は、第３に、繊維がポリエステル系繊維および／またはセルロース系繊維である上記のパウチカバーである。
本発明は、第４に、カバーを構成する布帛の端がカバー内側方向に縁取りされていることを特徴とする上記のパウチカバーである。
【０００８】
［発明の効果］
本発明のパウチ用カバーによれば、以下の効果を奏す。
（１）カバーに、ストーマとパウチの連結部を挿通可能とする挿通孔と挿通孔が設けられている側とは反対となるパウチの下部に、パウチを取り出し可能とする取り出し部とを設け、パウチ下部を支持固定することにより、パウチが袋体の中で安定するので活動しやすい。また、パウチの下端に設けられた排出口をカバーの外側へ容易に出せるので、排泄物が溜まったパウチを持ち上げる必要がなく、取り出す際のパウチの折り曲げで、排出口から排泄物を漏らす心配がない。そして、排出口をカバーの外側へ取り出して、排泄物を便器内へ容易に流すことができるので、外出先でもトイレを利用して容易に処理することができる。よって、パウチを装着していることを気にすることなく外出したり、仕事に従事したりすることができる。
【０００９】
（２）カバーの上下方向の長さは、パウチの長さに合わせて調節できるので、該カバーはパウチを効果的に封入できるため優れた消臭効果が得られる。また、パウチは、カバーの下端部の係合部を取り外すことにより容易に取り出せるとともに、排出口を取り出すことができる。
【００１０】
（３）カバーは、消臭作用のある布で形成されていることにより、カバー全体でパウチから発生する糞尿臭を消臭することができるので、より高い消臭作用を得ることができるため、外出して人と会うときや仕事をしているときに、周囲の人に気を使うことなく安心して買い物や会話を楽しむことができる。
【図面の簡単な説明】
【００１１】
図１は、ストーマ用パウチの概略図例である。
図２は、本発明のパウチカバーの背面概略図例（身体表面側）である。
図３は、本発明のパウチカバーの正面概略図例（反身体表面側）である。
【発明を実施するための形態】
【００１２】
次に、本発明の一実施例を図面に基づき説明する。
本発明は、身体表面部のストーマに装着するパウチのためのカバーであって、
該カバーは、消臭物質を含有する布帛によりパウチを被覆する形状に形成され、
ストーマとパウチの接続部に相当する部分に、ストーマに概略該当する大きさの接続用開口部を有すると共に、
カバーの下端部に末端開口部を設けパウチ挿通部とし、該末端開口部周辺に係合部材を設けてなり、該末端開口部からパウチを挿通自在としたことを特徴とするパウチカバーである。
本発明にかかるパウチのカバーは消臭物質を含有する布帛を袋状に形成して、下端を開放すると共にパウチのストーマ接続部に対応する位置に接続用開口部を設けている。
【００１３】
図１はストーマ用パウチの概略図であり、図２は本発明のストーマ用パウチのカバーを説明する概略図であり、身体表面側から見た背面概略図である。また、図３は反身体表面側から見た正面概略図である。
まず、図１を基に、ストーマ用パウチを説明した後に、本発明のストーマ用パウチカバーについてより具体的に説明する。
【００１４】
ストーマ用パウチ１は、ポリエチレンフィルムのような合成樹脂フィルムを袋状に形成し、下端を絞って排泄口３を設けると共に、体外に露出したストーマに接続するストーマ接続部２を袋上部に設けている。このパウチは常時着用するものであって、排泄口３を閉じて人工肛門や人工膀胱から排出された排泄物を溜めておき、定期的に排泄口を開けて排泄するものである。
ストーマとパウチの接続部の接続方式には、フランジによるものの他、粘着テープによるものがある。
【００１５】
パウチにはストーマ接続部位より高い位置にパウチ内に溜まったガスを排出する通気部（図示しない）が設けられていることが好ましい。この通気部の位置は各メーカによって異なるが、パウチを通常使用する状態で接続用開口より上側となるようにしている。これは、接続用開口部と対向する位置、または、開口部より下側に位置すると通気部のフィルタが糞尿により汚染されやすくなるためである。
通常、使用状態では排出部には、止め具等を用いて排出口を封止してある。止め具はパウチの排出部を挟むようにして排出口から排泄物の流出を防止することができる。
【００１６】
図２および図３に示すように、本発明のパウチカバー４はパウチ１に被せてから人体に接続するもので、略楕円形の袋体状に形成された布帛からなり、パウチカバーは、正面部と背面部からなり、正面部は表生地７から構成され、背面部は裏生地Ａ８と裏生地Ｂ９とから構成され、背面部の上半部には図２に示されているように、接続用開口部５が設けられており、カバーの下端を開放し、パウチの挿通部が設けられている。
接続用開口部の径は、ストーマの被接合部の径に応じて適宜設定される。
【００１７】
このパウチカバー４でパウチ１を被覆するには、パウチ１をパウチカバー４の下端のパウチ挿通部６から挿入し、パウチのストーマ接続部２をパウチカバーの接続用開口部５に配置し、該開口にフランジを露出させた状態で、カバー下端の係合部材１０を接合させてパウチ１を固定する。
パウチを取り替えるときには、パウチカバー下部の係合部の係合を解除し、パウチ内部の糞尿を排出した後、パウチカバーで被覆されたパウチをストーマとの接合部から取り外し、パウチカバー下部の末端開口部（パウチの挿通部）６からパウチを取り出し、新しいパウチを末端開口部（パウチの挿通部）６から挿入した後、パウチのストーマ接続部をパウチカバーの開口部に配置し、開口にフランジを露出させた状態で、カバー下端の係合部を接合させてパウチを固定する。
【００１８】
本発明のパウチカバーは、図３に示すように、表生地と裏生地Ａ８及び裏生地Ｂ９の左右端部を積層し縫着したものである。背面部上部中央に接続用開口部５が形成されるように裏面生地Ａ８及び裏面生地Ｂ９とから形成されるパウチとストーマとの接続用開口部５を有していることが好ましい。このような構成であるため、ストーマとパウチの接続部に生地が密着し隙間を減少させるため、接続部から漏出する糞尿臭の消臭が効果的に行われる。また、表生地７と裏生地Ｂ９は、その下端を縫着せず開口部を設け、該開口部からパウチを挿入できるようにパウチ挿通部６を形成している。更に、表生地７または裏生地Ｂ９のどちらか一方の下端を延出して、その延出部には、表生地７と裏生地Ｂ９を係合するため、面ファスナー、粘着テープ、ホック等の係合部材１０が設けられている。
本発明のパウチカバーは、パウチの長さに合わせて、表生地の延出部を裏生地側に折り返して、もしくは、裏生地の延出部を表生地側に折り返して、両生地の係合部材同士を接合することができる。パウチの長さとは、パウチの上端から下端の排出部末端部までの長さをいう。
これにより、パウチを封入できるので、効果的な消臭性を発現することができる。また、外部からパウチ内の糞尿が人目にさらされることはなくなる。
また、人体の腹部にはパウチカバーが接触し、パウチはその外側に位置することになるので、パウチを構成する合成樹脂フィルムが皮膚に直接接触することが原因のムレや接触性の皮膚炎が生じることも低減される。
【００１９】
この実施例では、カバーは、消臭作用のある布帛で形成されている。この消臭作用のある布帛としては、フラボン誘導体、活性炭、ゼオライトその他の公知の消臭物質を布帛に付与したものが挙げられる。
また、布帛に使用される繊維素材としては、ポリエチレンテレフタレート、ポリプロピレンテレフタレートおよびポリブチレンテレフタレートなどのポリエステル系繊維、ナイロン６やナイロン６６などのポリアミド系繊維、ポリアクリルニトリルを主成分とするアクリル系繊維、ポリエチレンやポリプロピレンなどのポリオレフィン系繊維、ポリ塩化ビニル系繊維などの合成繊維、アセテートやレーヨンなどの半合成繊維、木綿、麻、絹および羊毛などの天然繊維などが挙げられ、これらの繊維を単独または２種以上の混合物として使用することができるが、本発明においては汗や漏水の吸収性がよく、洗濯耐久性を有する点から、レーヨンや木綿などのセルロース系繊維を主成分にした繊維が好ましく使用される。
また、本発明に用いる布帛の形態としては、通気性のあるものが望ましく、例えば不織布、織編物などが用いられる。
【００２０】
本発明においては、特に、ポリエチレンテレフタレートなどのポリエステル系繊維、セルロース系繊維の表面および内部に無機多孔結晶が担持された繊維からなる布帛が好ましく、洗濯耐久性の点から、布帛の表面および内部に無機多孔結晶が担持されてなる消臭性布帛が好ましく用いられる。ここで消臭性布帛がとしては、
（ａ）二酸化ケイ素と酸化亜鉛との複合体
（ｂ）結晶性シリカおよび／またはシリカアルミナとフィロケイ酸塩および／またはアルミニウムフィロケイ酸塩との複合体
（ｃ）ポリヒドラジド化合物
（ｄ）ポリカルボン酸および／またはポリカルボン酸塩
（ｅ）ポリフェノール
からなる群から選択された少なくとも１つの消臭物質を、その表面および／または内部に有しているものが好ましい。
更に、前記無機多孔結晶としては、ゼオライトが好ましい。
更に、前記消臭物質は、バインダー樹脂とともに無機多孔結晶およびセルロース系繊維に付与されていることが好ましい。
このような構成を用いることにより、繰り返し洗濯を行っても消臭効果を維持することができる。
【００２１】
また、カバーを構成する布帛の端がカバー内側方向に縁取りされていることが好ましい。このような構成を用いることにより布帛のホツレを回避することができるため、カバーの耐久性が向上する。
【００２２】
以上のように、本発明のパウチカバーはパウチを全体的に効果的に被覆するので、悪臭をカバー全体で消臭することができる。また、パウチカバーは通気性を有するので、悪臭が基材を通過する際に消臭されその消臭効果は大きいばかりか、肌触りも良くなる。
【符号の説明】
【００２３】
図中の各符号の内容は次のとおりである。
１    パウチ
２    パウチの接続部
３    パウチの排出口
４    パウチカバー
５    接続用開口部（フランジ）
６    末端開口部（パウチの挿通部）
７    表生地
８    裏生地Ａ
９    裏生地Ｂ
１０    係合部材
１１    縫製部
【図１】
2010128686.tif 000003
【図２】
2010128686.tif 000004
【図３】
2010128686.tif 000005
【国際調査報告】
2010128686.tif 000006
2010128686.tif 000007
2010128686.tif 000008
2010128686.tif 000009